(57)【特許請求の範囲】
【請求項１】
媒体上に画像を形成する装置に対しての描画指示を含んだ画像形成情報を受け入れる受入手段と、
前記画像形成情報から、白色の画像要素の描画指示であって、他の画像要素と重なり合う部分の色を、当該他の画像要素の色との関係で定められる色で描画するべき旨の乗せ指示が含まれる描画指示を検索する検索手段と、
前記検索により見いだされた描画指示において、前記乗せ指示を無効化する無効化手段と、
を含むことを特徴とする画像情報処理装置。
【請求項２】
媒体上に画像を形成する装置に対して、当該装置において実行するべき処理の指示と、描画指示とを含む画像形成情報を受け入れる受入手段と、
前記画像形成情報に含まれる処理の指示であって、白色で描画するよう設定された画像要素のうち、他の画像要素と重なり合う部分の色を、当該他の画像要素の色との関係で定められる色で描画するべき旨の乗せ指示を、何も描画しない指示に置き換える処理の指示を検索する検索手段と、
前記検索により見いだされた処理の指示を書き換える手段であって、当該処理により置き換えの対象となった前記画像形成の指示において白色にて描画される画像要素を、黒色版に描画する指示に置き換える処理に書き換える書換手段と、
白色での画像要素の描画指示であって、前記乗せ指示が含まれる描画指示の、当該乗せ指示を無効化する無効化手段と、
を含むことを特徴とする画像情報処理装置。
【請求項３】
コンピュータを、
媒体上に画像を形成する装置に対しての描画指示を含んだ画像形成情報を受け入れる受入手段と、
前記画像形成情報から、白色の画像要素の描画指示であって、他の画像要素と重なり合う部分の色を、当該他の画像要素の色との関係で定められる色で描画するべき旨の乗せ指示が含まれる描画指示を検索する検索手段と、
前記検索により見いだされた描画指示において、前記乗せ指示を無効化する無効化手段と、
として機能させることを特徴とするプログラム。
【請求項４】
コンピュータを、
媒体上に画像を形成する装置に対して、当該装置において実行するべき処理の指示と、描画指示とを含む画像形成情報を受け入れる受入手段と、
前記画像形成情報に含まれる処理の指示であって、白色で描画するよう設定された画像要素のうち、他の画像要素と重なり合う部分の色を、当該他の画像要素の色との関係で定められる色で描画するべき旨の乗せ指示を、何も描画しない指示に置き換える処理の指示を検索する検索手段と、
前記検索により見いだされた処理の指示を書き換える手段であって、当該処理により置き換えの対象となった前記画像形成の指示において白色にて描画される画像要素を、黒色版に描画する指示に置き換える処理に書き換える書換手段と、
白色での画像要素の描画指示であって、前記乗せ指示が含まれる描画指示の、当該乗せ指示を無効化する無効化手段と、
として機能させることを特徴とするプログラム。
【発明の詳細な説明】
【技術分野】
【０００１】
本発明は、画像情報処理装置及びプログラムに関する。
【背景技術】
【０００２】
プリントサーバでは、オーバープリント警告機能が設定されていると、オーバープリント指定されている画像の検出及び抽出を行う。これにより、オーバープリント指定されている画像を検出すると、クライアント端末に警告を発すると共に、該当する画像が明確となるように、該当する画像に対する画像処理及び印刷処理を設定する。これにより、プリンタから出力される印刷物上でオーバープリント指定されている画像を的確に判断することができる、という技術が特許文献１に開示されている。
【先行技術文献】
【特許文献】
【０００３】
【特許文献１】特開２００３−５３４３号公報
【発明の概要】
【発明が解決しようとする課題】
【０００４】
白色の描画指示により、意図しない画像形成が行われることを防止する。
【課題を解決するための手段】
【０００５】
請求項１記載の発明は、画像情報処理装置であって、媒体上に画像を形成する装置に対しての描画指示を含んだ画像形成情報を受け入れる受入手段と、前記画像形成情報から、白色の画像要素の描画指示であって、他の画像要素と重なり合う部分の色を、当該他の画像要素の色との関係で定められる色で描画するべき旨の乗せ指示が含まれる描画指示を検索する検索手段と、前記検索により見いだされた描画指示において、前記乗せ指示を無効化する無効化手段と、を含むこととしたものである。
【０００６】
請求項２記載の発明は、画像情報処理装置であって、媒体上に画像を形成する装置に対して、当該装置において実行するべき処理の指示と、描画指示とを含む画像形成情報を受け入れる受入手段と、前記画像形成情報に含まれる処理の指示であって、白色で描画するよう設定された画像要素のうち、他の画像要素と重なり合う部分の色を、当該他の画像要素の色との関係で定められる色で描画するべき旨の乗せ指示を、何も描画しない指示に置き換える処理の指示を検索する検索手段と、前記検索により見いだされた処理の指示を書き換える手段であって、当該処理により置き換えの対象となった前記画像形成の指示において白色にて描画される画像要素を、黒色版に描画する指示に置き換える処理に書き換える書換手段と、白色での画像要素の描画指示であって、前記乗せ指示が含まれる描画指示の、当該乗せ指示を無効化する無効化手段と、を含むこととしたものである。
【０００７】
請求項３記載の発明は、プログラムであって、コンピュータを、媒体上に画像を形成する装置に対しての描画指示を含んだ画像形成情報を受け入れる受入手段と、前記画像形成情報から、白色の画像要素の描画指示であって、他の画像要素と重なり合う部分の色を、当該他の画像要素の色との関係で定められる色で描画するべき旨の乗せ指示が含まれる描画指示を検索する検索手段と、前記検索により見いだされた描画指示において、前記乗せ指示を無効化する無効化手段と、として機能させることとしたものである。
【０００８】
請求項４記載の発明は、プログラムであって、コンピュータを、媒体上に画像を形成する装置に対して、当該装置において実行するべき処理の指示と、描画指示とを含む画像形成情報を受け入れる受入手段と、前記画像形成情報に含まれる処理の指示であって、白色で描画するよう設定された画像要素のうち、他の画像要素と重なり合う部分の色を、当該他の画像要素の色との関係で定められる色で描画するべき旨の乗せ指示を、何も描画しない指示に置き換える処理の指示を検索する検索手段と、前記検索により見いだされた処理の指示を書き換える手段であって、当該処理により置き換えの対象となった前記画像形成の指示において白色にて描画される画像要素を、黒色版に描画する指示に置き換える処理に書き換える書換手段と、白色での画像要素の描画指示であって、前記乗せ指示が含まれる描画指示の、当該乗せ指示を無効化する無効化手段と、として機能させることとしたものである。
【発明の効果】
【０００９】
請求項１から４に記載の発明によると、白色の描画指示により、意図しない画像形成が行われることが防止される。
【図面の簡単な説明】
【００１０】
【図１】本発明の実施の形態に係る画像情報処理装置の構成例及び接続例を表す構成ブロック図である。
【図２】オーバープリントの設定された画像要素の描画例を表す説明図である。
【図３】本発明の実施の形態に係る画像情報処理装置の処理の一例を表すフローチャート図である。
【図４】本発明の実施の形態に係る画像情報処理装置における設定画面の例を表す説明図である。
【図５】本発明の実施の形態に係る画像情報処理装置の処理の別の例を表すフローチャート図である。
【発明を実施するための形態】
【００１１】
本発明の実施の形態について図面を参照しながら説明する。本実施の形態に係る画像情報処理装置１は、図１に例示するように、情報処理装置２と、画像形成装置３との間に介在する。また、本実施の形態の画像情報処理装置１は、制御部１１、記憶部１２、通信部１３を含んで構成される。なお、本実施の形態の画像情報処理装置１は、ここで例示したようなものばかりでなく、画像形成装置３と一体に構成されてもよいし、情報処理装置２と一体に構成されてもよい。
【００１２】
制御部１１は、ＣＰＵ（Central Processing Unit）等のプログラム制御デバイスであり、記憶部１２に格納されたプログラムに従って動作する。本実施の形態の例では、この制御部１１は、通信部１３を介して情報処理装置２から画像形成情報を受け入れ、当該画像形成情報から白色の画像要素の描画指示であって、他の画像要素と重なり合う部分の色を、当該他の画像要素の色との関係で定められる色で描画するべき旨の指示が含まれる描画指示、つまり、オーバープリント指定（乗せ指示）がされた、白色のオブジェクトの描画指示を検索する。そして制御部１１は、かかるオブジェクトの描画指示があれば、そのオーバープリント指定を無効化するための処理を実行する。なお、描画指示における色は、シアン、マゼンタ、イエロー、ブラックを含む複数の色版ごとの色材使用量で表現されるが、ここでいう白色とは各色版の値が０％であるような色を意味する。この処理の具体的内容については後に述べる。
【００１３】
記憶部１２は、メモリデバイス等であり、制御部１１によって実行されるプログラムを保持している。このプログラムは、例えばＤＶＤ−ＲＯＭ（Digital Versatile Disc Read Only Memory）などのコンピュータ可読な記録媒体に格納されて提供され、この記憶部１２に格納されたものであってもよい。また、この記憶部１２は、制御部１１のワークメモリとしても動作する。通信部１３は、ネットワークインタフェースなどであり、制御部１１から入力される指示に従って、情報処理装置２や、画像形成装置３との間で各種情報をネットワーク等の通信手段を介して送受信する。
【００１４】
情報処理装置２は、一般的なパーソナルコンピュータシステムであり、利用者の指示に従って少なくとも一つの画像要素を描画してディスプレイに表示するとともに当該画像要素の描画指示を含む画像形成情報を生成する。また、情報処理装置２は、利用者からの指示により、生成した画像形成情報を、画像情報処理装置１に出力する。具体的にこの情報処理装置２を操作して、利用者は図２に例示するような画像要素を描画できる。まず、マゼンタ１００％で着色された円盤の画像要素（Ｍ）を描画しておき、この円盤に一部が重なるようにシアン１００％で着色した円盤の画像要素（Ｃ）を描画すると、ディスプレイ上では、円盤の画像要素（Ｃ）の内部が交差している部分（Ｘ）を含めてシアン１００％に着色され、円盤の画像要素（Ｍ）のうち、交差している部分が隠された状態となる（図２（ａ）、なお図２では説明のため画像要素の隠れた部分も破線で表しているが、実際にはこの破線は表示等されない）。
【００１５】
次に利用者が情報処理装置２に対して、この円盤の画像要素（Ｃ）をオーバープリントとするよう設定を行うと、ディスプレイ上では変化がないが、画像形成情報にはオーバープリントの指定が加わり、この画像形成情報に従って画像形成が行われると、両円盤の画像要素（Ｍ，Ｃ）の交差している部分（Ｘ）が、マゼンタ１００％かつシアン１００％の色で形成されることになる（図２（ｂ））。
【００１６】
一方、図２（ａ）に示した状態にあるとき、利用者が情報処理装置２を操作して、円盤の画像要素（Ｃ）の色を白色（すべての版が０％である色）に設定すると、ディスプレイ上では円盤の画像要素（Ｃ）の内部は、交差している部分（Ｘ）を含めて白色に着色され、円盤の画像要素（Ｍ）のうち、交差している部分が隠された状態になる（図２（ｃ））。しかしながら、画像形成情報では、この円盤の画像要素（Ｃ）に対するオーバープリントの指示が残存しているので、この画像形成情報に従って画像形成が行われると、両円盤画像要素（Ｍ，Ｃ）の交差している部分（Ｘ）が、マゼンタ１００％の色で形成されることになる（図２（ｄ））。つまり、利用者の意図しない出力が得られることとなる。
【００１７】
画像形成装置３は、カラープリンタや、カラープリンタ及びスキャナ、複写機等の機能を複合的に実現する複合機などであり、情報処理装置２が出力する画像形成情報に従って用紙などの媒体上に画像を形成する。
【００１８】
次に、本実施の形態の画像情報処理装置１の制御部１１の動作について説明する。この制御部１１は、情報処理装置２から画像形成情報を受信すると、当該指示に従って画像形成の対象となる画像要素の色を設定する処理を行う。この処理の一例は図３に例示するようになる。
【００１９】
図３に例示する処理に先だって、制御部１１は、図４に例示するような設定画面により、白色（すべての版が０％である色）で描画されるオブジェクトに対するオーバープリント指示をノックアウト（設定解除）するか否かの設定を利用者から受け入れておき、記憶部１２に記録しておく。
【００２０】
制御部１１は、図３に例示する処理を開始すると、受信した画像形成情報に含まれる画像要素などの描画の対象（以下、オブジェクトという）オブジェクトごとに（Ｓ１）、その一つを注目オブジェクトとして選択する（Ｓ２）。そして制御部１１は、記憶部１２に記録されている設定を参照して、白色（すべての版が０％である色）で描画されるオブジェクトに対するオーバープリント指示をノックアウト（設定解除）するか否かを判断する（Ｓ３）。
【００２１】
ここで、ノックアウトする旨の設定がある場合（Yesの場合）は、注目オブジェクトについて指示された描画色が白色（すべての版が０％である色）であるか否かを判断する（Ｓ４）。ここで、注目オブジェクトについて指示された描画色が白色であれば（Yesであれば）、当該注目オブジェクトに対してオーバープリント指示が設定されているか否かを判断する（Ｓ５）。ここで注目オブジェクトに対してオーバープリント指示が設定されていれば（Yesであれば）、オーバープリント指示を、受信した画像形成情報から削除して（Ｓ６）、注目オブジェクトに対する色を白色（すべての版が０％である色）に設定する指示に変更する。
【００２２】
そして制御部１１は、未だ注目オブジェクトとして選択されていないオブジェクトが、受信した画像形成情報に含まれている間、処理Ｓ２以下を繰り返して実行し（Ｓ８）、すべてのオブジェクトについて色が設定されたならば、処理を終了する。
【００２３】
また制御部１１は、処理Ｓ３においてノックアウトする旨の設定がない場合（Noの場合）、または、処理Ｓ５において注目オブジェクトに対してオーバープリント指示が設定されていない場合（Noの場合）は、注目オブジェクトに対して設定されている指示の通りに、注目オブジェクトの色を設定して、画像形成情報に反映し（Ｓ９）、処理Ｓ８へ移行する。具体的に処理Ｓ３においてノックアウトする旨の設定がない場合（Noの場合）は、白色で描画する指示がされ、かつオーバープリントの指示があるオブジェクトであっても、当該指示のまま色が設定されるので、注目オブジェクトの背景として別の色のオブジェクトが重なっていれば、当該重なった部分は当該別の色で描画がされることとなる。
【００２４】
また処理Ｓ５において注目オブジェクトに対してオーバープリント指示が設定されていない場合（Noの場合）は、注目オブジェクトについて指示された描画色（図３の処理例では白色）を、そのまま注目オブジェクトの描画色とする。つまり注目オブジェクトに対して背景となっているオブジェクトは、注目オブジェクトにより上書きされ、注目オブジェクトと重なった部分が欠けて描画されることになる。
【００２５】
さらに制御部１１は、処理Ｓ４において、注目オブジェクトについて指示された描画色が白色（すべての版が０％である色）でない場合（Noの場合）は、そのまま処理Ｓ８へ移行する。制御部１１は、以上の図３に示した処理を終了した後に、当該処理後の画像形成情報を、画像形成装置３へ出力する。
【００２６】
本実施の形態では、このような処理が行われることにより、次のような動作が行われる。なお、以下の動作例の説明では、ポストスクリプト（登録商標）にて画像形成情報が記述されるものとする。もっとも本実施の形態は、ポストスクリプトによる例に限られるものではなく、他のページ記述言語に対しても同様の処理を行うことができる。一例として図２で示したような描画操作を行った場合を想定する、まず、マゼンタ１００％で着色された円盤の画像要素を描画しておき、この円盤に一部が重なるようにシアン１００％で着色した円盤の画像要素を描画する（ディスプレイ上では図２（ａ）のようになる）。このとき情報処理装置２が生成する画像形成情報の描画指示は、模式的に、
draw_magenta_oval
draw_cyan_oval
となる。ここで、draw_magenta_ovalは、マゼンタ１００％で着色された円盤の画像要素を描画するべき旨の描画指示（コマンド）であり、draw_cyan_ovalは、シアン１００％で着色した円盤の画像要素を描画するべき旨の描画指示であるものとする。
【００２７】
次に利用者が情報処理装置２に対して、この円盤の画像要素（Ｃ）をオーバープリントとするよう設定を行うと、ディスプレイ上では変化がないが、画像形成情報にはオーバープリントの指定が加わり、
draw_magenta_oval
true overprintmode
draw_cyan_oval
false overprintmode
のようになる。ここで、「true overprintmode」が、以下の画像要素をオーバープリントして描画する旨の指示となる。なお、「false overprintmode」は、オーバープリントを解除する指定となる。
【００２８】
この画像形成情報に従って画像形成が行われると、両円盤画像要素（Ｍ，Ｃ）の交差している部分（Ｘ）が、マゼンタ１００％かつシアン１００％の色で形成されることになる（図２（ｂ））。
【００２９】
また、利用者が情報処理装置２を操作して、シアン１００％であった円盤の画像要素の色を白色（すべての版が０％である色）に設定すると、ディスプレイ上では円盤の画像要素の内部は、交差している部分を含めて白色に着色され、マゼンタ１００％の円盤の画像要素のうち、交差している部分が隠された状態になる（図２（ｃ））。
【００３０】
このとき、情報処理装置２が生成する画像形成情報は、
draw_magenta_oval
true overprintmode
draw_white_oval
false overprintmode
となる。
【００３１】
ここで、draw_white_ovalは、シアン、マゼンタ、イエロー、ブラックの各色版ともに０％とする円盤の画像要素を描画するべき旨の描画指示（コマンド）である。
【００３２】
この状態では、白色に指定された円盤の画像要素に対するオーバープリントの指示が残存しているので、この画像形成情報に従って画像形成が行われると、両円盤画像要素の交差している部分が、マゼンタ１００％の色で形成されることになる（図２（ｄ））。つまり、このままでは利用者の意図しない出力が得られることとなる。
【００３３】
この状態での画像形成情報が情報処理装置２から、画像情報処理装置１へ送信される。以下の例では、画像情報処理装置１に対して予め白色（すべての版が０％である色）で描画されるオブジェクトに対するオーバープリント指示をノックアウト（設定解除）する指示が設定されているものとする。
【００３４】
画像情報処理装置１は、オブジェクトごとに、その一つを注目オブジェクトとして選択する。上述の例では、まず、draw_magenta_ovalが注目オブジェクトとして選択される。そして注目オブジェクトについて指示された描画色が白色（すべての版が０％である色）であるか否かを判断するが、この注目オブジェクトについては、マゼンタ１００％が設定されているので、そのまま次のオブジェクトに関する処理に移行する。
【００３５】
次にtrue overprintmodeから、draw_white_ovalまでの指示で描画される画像要素が注目オブジェクトとなる。この注目オブジェクトの描画色は白色であるので、次に当該注目オブジェクトに対してオーバープリント指示が設定されているか否かを判断する。ここでは、true overprintmodeが設定されているために、オーバープリント指示が設定されていると判断され、オーバープリント指示を、受信した画像形成情報から削除する。
【００３６】
この処理により、先の画像形成情報は、
draw_magenta_oval
false overprintmode
draw_white_oval
false overprintmode
となる。この例では、これにより注目オブジェクトに対する色が白色（すべての版が０％である色）に設定する指示に変更される。
【００３７】
画像情報処理装置１は、以下、画像形成情報に含まれるオブジェクトについて同様の処理を行い、すべてのオブジェクトについて色が設定されたならば、処理を終了する。
【００３８】
こうして生成された画像形成情報に基づいて画像形成装置３にて画像形成が行われると、その結果は、図２（ｃ）で示したディスプレイ上での表現に合致した結果が得られることとなり、利用者の意図通りの結果が得られることとなる。
【００３９】
［処理の別の例］
なお、近年では、白色のオブジェクトに対するオーバープリントの指示があることにより、意図しない描画となってしまうことに対処するべく、画像情報処理装置１において、オーバープリント指定のある白色での画像要素の描画指示を、何も描画しない指示に置き換える処理の指示を画像形成情報に対して含める場合がある。
【００４０】
このようにすると、画像情報処理装置１にてプレビューした段階で、白色で描画されるべき画像要素が描画されない状態となり、利用者が異常に気がつくことができる。しかしながらこのような処理による結果も、利用者の意図しない状態であることに変わりはない。そこで本実施の形態の画像情報処理装置１は、次のような処理を行ってもよい。
【００４１】
すなわち、本実施の形態の画像情報処理装置１の制御部１１は、情報処理装置２から画像形成情報を受信すると、図３に示した処理に代えて、図５に示す処理を実行する。すなわち制御部１１は、記憶部１２に記録されている設定を参照して、白色（すべての版が０％である色）で描画されるオブジェクトに対するオーバープリント指示をノックアウト（設定解除）するか否かを判断する（Ｓ１１）。
【００４２】
ここでノックアウトするべき設定がなされている場合（Yesの場合）は、制御部１１は、受信した画像形成情報に、オーバープリント指定のある白色での画像要素の描画指示を、何も描画しない指示に置き換える処理（描画置換処理と呼ぶ）の記述が含まれているか否かを調べる（Ｓ１２）。
【００４３】
この描画置換処理は、具体的にポストスクリプト（登録商標）における例でいえば、次のようになる（もっとも、本実施の形態はポストスクリプトの例に限られるものではない）。すなわち、オーバープリントの設定がある場合、一部の情報処理装置２では、シアン、マゼンタ、イエロー、ブラックの各プロセスカラーの色版（DeviceCMYK）において表現された色を、DeviceN（任意の色版の濃度を設定する情報）で表現するように書き換える処理である。このとき、DeviceCMYKにおいて、シアン、マゼンタ、イエロー、ブラックのいずれも０％である色の場合、DeviceNではなく、DeviceNone（出力されない版）の色として設定する処理となっている。
【００４４】
この描画置換処理の記述を含んだ画像形成情報は、画像形成装置３において処理がなされ、画像形成装置３において描画置換処理が実行されて、白色かつオーバープリントの設定のある画像要素（オブジェクト）の描画が、DeviceNoneの色で行われることとなり、その描画の結果は出力がされないこととなる。
【００４５】
制御部１１は、処理Ｓ１２において描画置換処理が含まれている場合（Yesの場合）は、DeviceCMYKにおいて、シアン、マゼンタ、イエロー、ブラックのいずれも０％である色で描画され、オーバープリントの設定がある画像要素を、DeviceNone（出力されない版）の色で描画する指示に書き換える処理の記述を、白色で上書きする指示となるよう、例えばDeviceK（ブラック（黒色）の版）の０％の色で描画する指示に書き換える処理の記述へと置換する（Ｓ１３）。
【００４６】
そして制御部１１は、受信した画像形成情報に含まれる画像要素などの描画の対象（以下、オブジェクトという）オブジェクトごとに（Ｓ１４）、その一つを注目オブジェクトとして選択する（Ｓ１５）。
【００４７】
制御部１１は、注目オブジェクトについて指示された描画色が白色（すべての版が０％である色）であるか否かを判断し（Ｓ１６）、注目オブジェクトについて指示された描画色が白色であれば（Yesであれば）、当該注目オブジェクトに対してオーバープリント指示が設定されているか否かを判断する（Ｓ１７）。ここで注目オブジェクトに対してオーバープリント指示が設定されていれば（Yesであれば）、制御部１１は、オーバープリント指示を、受信した画像形成情報から削除して（Ｓ１８）、注目オブジェクトに対する色を白色（すべての版が０％である色）に設定する指示に変更する。
【００４８】
そして制御部１１は、未だ注目オブジェクトとして選択されていないオブジェクトが、受信した画像形成情報に含まれている間、処理Ｓ１５以下を繰り返して実行し（Ｓ２０）、すべてのオブジェクトについて色が設定されたならば、処理を終了する。
【００４９】
なお制御部１１は、処理Ｓ１２において描画置換処理が含まれていない場合（Noの場合）は、処理Ｓ１４に移行して処理を続ける。
【００５０】
また制御部１１は、処理Ｓ１１においてノックアウトする旨の設定がない場合（Noの場合）は、すべてのオブジェクトに対して、設定されている指示の通りに、各オブジェクトの色を設定して、画像形成情報に反映し（Ｓ２１）、処理を終了する。
【００５１】
また制御部１１は、処理Ｓ１７において注目オブジェクトに対してオーバープリント指示が設定されていない場合（Noの場合）は、注目オブジェクトに対して設定されている指示の通りに、注目オブジェクトの色を設定して、画像形成情報に反映し（Ｓ２２）、処理Ｓ２０へ移行する。
【００５２】
さらに制御部１１は、処理Ｓ１６において、注目オブジェクトについて指示された描画色が白色（すべての版が０％である色）でない場合（Noの場合）は、そのまま処理Ｓ２０へ移行する。制御部１１は、以上の図５に示した処理を終了した後に、当該処理後の画像形成情報を、画像形成装置３へ出力する。
【００５３】
この例によると、オーバープリント設定がされ、かつ白色で描画されるべき画像要素の描画指示を、白色で上書きする描画指示に書き換える処理が、画像形成情報内に記述されることとなり、画像形成装置３において、オーバープリント設定がされ、かつ白色で描画されるべき画像要素の描画指示が、白色で上書きする描画指示に書き換えられ、利用者の意図した画像形成が行われる。
【００５４】
なお、ここまでの説明で、図３、図５の処理では、オーバープリントの指示（乗せ指示）を削除することにより、当該指示が無効となるようにしているが、削除せず、コメントとして扱われるよう処理する（コメントアウトする）こととして無効化しても構わない。
【符号の説明】
【００５５】
１  画像情報処理装置、２  情報処理装置、３  画像形成装置、１１  制御部、１２  記憶部、１３  通信部。
【図１】
0005434555.tif 000002
【図２】
0005434555.tif 000003
【図３】
0005434555.tif 000004
【図４】
0005434555.tif 000005
【図５】
0005434555.tif 000006